(57)【要約】      （修正有）【課題】部品点数の削減、組立作業に要する工数の削減、振動に起因した異音の発生防止を効果的に図ることが可能なプッシュボタンスイッチを提供する。【解決手段】ケースと、上記ケース内に内装され所定位置にスイッチを備えた基板と、上記ケースに設けられた凹部内に実装され押圧されることにより上記スイッチを押すプッシュボタンと、を具備してなるプッシュボタンスイッチにおいて、上記プッシュボタンには弾性支持部が設けられていて、一方、上記ケースには係止部が設けられていて、上記弾性支持部を上記係止部に係合させた状態で上記プッシュボタンを上記ケースの凹部に実装する。【選択図】図１
2010225340.tif 000002
【特許請求の範囲】
【請求項１】
ケースと、上記ケース内に内装され所定位置にスイッチを備えた基板と、上記ケースに設けられた凹部内に実装され押圧されることにより上記スイッチを押すプッシュボタンと、を具備してなるプッシュボタンスイッチにおいて、  上記プッシュボタンには弾性支持部が設けられていて、一方、上記ケースには係止部が設けられていて、上記弾性支持部を上記係止部に係合させた状態で上記プッシュボタンを上記ケースの凹部に実装するようにしたことを特徴とするプッシュボタンスイッチ。
【請求項２】
請求項１記載のプッシュボタンスイッチにおいて、  上記弾性支持部は左右一対設けられていて、一方、上記ケース側にも一対の係止部が設けられていて、上記プッシュボタンは上記一対の弾性支持部を上記一対の係止部に係合させた状態で変位可能に実装されていることを特徴とするプッシュボタンスイッチ。
【請求項３】
請求項２記載のプッシュボタンスイッチにおいて、  上記左右一対の弾性支持部はそれぞれ２個ずつの屈曲部を備えていて、上記プッシュボタンは左右２個ずつの合計４個の屈曲部を介して上記ケースに実装されることを特徴とするプッシュボタンスイッチ。
【請求項４】
請求項１記載のプッシュボタンスイッチにおいて、  上記ケースには上記プッシュボタンの押圧変位量を一定量に規制するストッパーが設けられていることを特徴とするプッシュボタンスイッチ。
【請求項５】
請求項４記載のプッシュボタンスイッチにおいて、  上記プッシュボタン側にはストッパー係合部が設けられていて、このストッパー係合部が上記ケース側のストッパーに係合することにより上記プッシュボタンの押圧変位量を一定量に規制するようにしたことを特徴とするプッシュボタンスイッチ。
【請求項６】
請求項１記載のプッシュボタンスイッチにおいて、  上記ケースには複数個の凹部が設けられていて、一方、上記プッシュボタンは上記複数個の凹部に対応するように複数のプッシュボタンが一体化されてプッシュボタン群として構成されていることを特徴とするプッシュボタンスイッチ。
【請求項７】
請求項６記載のプッシュボタンスイッチにおいて、  上記一体化されたプッシュボタン群を上記ケースの表面側から実装するようにしたことを特徴とするプッシュボタンスイッチ。
【請求項８】
請求項６記載のプッシュボタンスイッチにおいて、  上記一体化されたプッシュボタン群を上記ケースの内側から実装するようにしたことを特徴とするプッシュボタンスイッチ。 
【発明の詳細な説明】
【技術分野】
【０００１】
本発明は、プッシュボタンスイッチに係り、特に、部品点数の削減、組立作業に要する工数の削減、振動に起因した異音の発生防止を効果的に図ることができるように工夫したものに関する。
【背景技術】
【０００２】
従来のプッシュボタンスイッチは、例えば、図１７に示すような構成になっている。まず、ケース３０１があり、このケース３０１内には基板３０３が内装されている。この基板３０３の所定位置にはスイッチ３０５が実装されている。一方、上記ケース３０１の上記スイッチ３０５に対応した位置には開口部３０７が形成されている。上記開口部３０７にはプッシュボタン３０９が差し込まれている。又、上記ケース３０１の開口部３０７とプッシュボタン３０９との間には潤滑油としての図示しないグリスが塗布されている。このグリスによりボタンフィーリング出しと振動に起因した異音の発生を防止するようにしている。  
【０００３】
又、別の構成をなすプッシュボタンスイッチの構成を図１８に示す。この場合には、上記プッシュボタン３０９と基板３０３との間にクッション材３１１を設置したものである。このクッション材３１１により振動に起因した異音の発生を防止するようにしたものである。  尚、その他の構成は図１７に示したものと同じであり、図中同一部分には同一符号を付して示しその説明は省略する。  
【０００４】
尚、この種のプッシュボタンスイッチの構成を開示するものとして、例えば、特許文献１、特許文献２等がある。
【先行技術文献】
【特許文献】
【０００５】
【特許文献１】特開２００７−１６５０５３号公報
【０００６】
【特許文献２】特開２０００−３１１５４４号公報
【発明の概要】
【発明が解決しようとする課題】
【０００７】
上記従来の構成によると次のような問題があった。まず、図１７に示すプッシュボタンスイッチの場合であるが、グリスの種類や塗布量によって品質や性能にバラツキが生じてしまうという問題があった。又、組立に際してはグリスの塗布作業が必要になるため組立作業に多くの工数を要してしまうという問題があった。又、図１８に示すプッシュボタンスイッチの場合であるが、振動に起因した異音の発生を防止するためにクッション材３１１を使用する構成になっているので部品点数が増加してしまうという問題があった。又、組立に際してはクッション材３１１を組み込む必要があるため組立作業に多くの工数を要してしまうという問題があった。  
【０００８】
本発明はこのような点に基づいてなされたものでその目的とするところは、部品点数の削減、組立作業に要する工数の削減、振動に起因した異音の発生防止を効果的に図ることが可能なプッシュボタンスイッチを提供することにある。
【課題を解決するための手段】
【０００９】
上記課題を解決するべく本願発明の請求項１によるプッシュボタンスイッチは、ケースと、上記ケース内に内装され所定位置にスイッチを備えた基板と、上記ケースに設けられた凹部内に実装され押圧されることにより上記スイッチを押すプッシュボタンと、を具備してなるプッシュボタンスイッチにおいて、  上記プッシュボタンには弾性支持部が設けられていて、一方、上記ケースには係止部が設けられていて、上記弾性支持部を上記係止部に係合させた状態で上記プッシュボタンを上記ケースの凹部に実装するようにしたことを特徴とするものである。又、請求項２によるプッシュボタンスイッチは、請求項１記載のプッシュボタンスイッチにおいて、上記弾性支持部は左右一対設けられていて、一方、上記ケース側にも一対の係止部が設けられていて、上記プッシュボタンは上記一対の弾性支持部を上記一対の係止部に係合させた状態で変位可能に実装されていることを特徴とするものである。又、請求項３によるプッシュボタンスイッチは、請求項２記載のプッシュボタンスイッチにおいて、上記左右一対の弾性支持部はそれぞれ２個ずつの屈曲部を備えていて、上記プッシュボタンは左右２個ずつの合計４個の屈曲部を介して上記ケースに実装されることを特徴とするものである。又、請求項４によるプッシュボタンスイッチは、請求項１記載のプッシュボタンスイッチにおいて、上記ケースには上記プッシュボタンの押圧変位量を一定量に規制するストッパーが設けられていることを特徴とするものである。又、請求項５によるプッシュボタンスイッチは、請求項４記載のプッシュボタンスイッチにおいて、上記プッシュボタン側にはストッパー係合部が設けられていて、個のストッパー係合部が上記ケース側のストッパーに係合することにより上記プッシュボタンの押圧変位量を一定量に規制するようにしたことを特徴とするものである。又、請求項６によるプッシュボタンスイッチは、請求項１記載のプッシュボタンスイッチにおいて、上記ケースには複数個の凹部が設けられていて、一方、上記プッシュボタンは上記複数個の凹部に対応するように複数のプッシュボタンが一体化されてプッシュボタン群として構成されていることを特徴とするものである。又、請求項７によるプッシュボタンスイッチは、請求項６記載のプッシュボタンスイッチにおいて、上記一体化されたプッシュボタン群を上記ケースの表面側から実装するようにしたことを特徴とするものである。又、請求項８によるプッシュボタンスイッチは、請求項６記載のプッシュボタンスイッチにおいて、上記一体化されたプッシュボタン群を上記ケースの内側から実装するようにしたことを特徴とするものである。
【発明の効果】
【００１０】
以上述べたように本願発明の請求項１によるプッシュボタンスイッチは、ケースと、上記ケース内に内装され所定位置にスイッチを備えた基板と、上記ケースに設けられた凹部内に実装され押圧されることにより上記スイッチを押すプッシュボタンと、を具備してなるプッシュボタンスイッチにおいて、上記プッシュボタンには弾性支持部が設けられていて、一方、上記ケースには係止部が設けられていて、上記弾性支持部を上記係止部に係合させた状態で上記プッシュボタンを上記ケースの凹部に実装するようにした構成になっているので、従来のように、グリスを塗布したりクッション材を組み込む必要はなく、組立作業に要する工数の削減を図ることができる。又、振動に起因した異音に関しては弾性支持部の張りにより吸収することができる。又、請求項２によるプッシュボタンスイッチは、請求項１記載のプッシュボタンスイッチにおいて、上記弾性支持部は左右一対設けられていて、一方、上記ケース側にも一対の係止部が設けられていて、上記プッシュボタンは上記一対の弾性支持部を上記一対の係止部に係合させた状態で変位可能に実装されている構成になっているので、上記効果をより確実なものとすることができると共に、左右一対の弾性支持部を介して設置されるので、多少ずれた場所を押圧しても安定したスイッチ動作を実現することができる。又、請求項３によるプッシュボタンスイッチは、請求項２記載のプッシュボタンスイッチにおいて、上記左右一対の弾性支持部はそれぞれ２個ずつの屈曲部を備えていて、上記プッシュボタンは左右２個ずつの合計４個の屈曲部を介して上記ケースに実装される構成になっているので、上記効果、すなわち、安定したスイッチ動作をより確実なものとすることができる又、請求項４によるプッシュボタンスイッチは、請求項１記載のプッシュボタンスイッチにおいて、上記ケースには上記プッシュボタンの押圧変位量を一定量に規制するストッパーが設けられている構成になっているので、プッシュボタンを過度に押し込むことによりスイッチを損傷させてしまうようなことを防止することができる。又、請求項５によるプッシュボタンスイッチは、請求項４記載のプッシュボタンスイッチにおいて、上記プッシュボタン側にはストッパー係合部が設けられていて、このストッパー係合部が上記ケース側のストッパーに係合することにより上記プッシュボタンの押圧変位量を一定量に規制するようにした構成になっているので、上記効果、すなわち、スイッチの損傷防止効果をより確実なものとすることができる。又、請求項６によるプッシュボタンスイッチは、請求項１記載のプッシュボタンスイッチにおいて、上記ケースには複数個の凹部が設けられていて、一方、上記プッシュボタンは上記複数個の凹部に対応するように複数が一体化されてプッシュボタン群として構成されているので、部品点数の削減と組立作業のさらなる容易化を図ることができる。又、請求項７によるプッシュボタンスイッチは、請求項６記載のプッシュボタンスイッチにおいて、上記一体化されたプッシュボタン群を上記ケースの表面側から実装するようにした構成になっているので、プッシュボタン群の組立作業がやり易くなり、上記効果をより確実なものとすることができる。又、請求項８によるプッシュボタンスイッチは、請求項６記載のプッシュボタンスイッチにおいて、上記一体化されたプッシュボタン群を上記ケースの内側から実装するようにした構成になっているので、プッシュボタン群の不用意な脱落を防止することができる。
【図面の簡単な説明】
【００１１】
【図１】本発明の第１の実施の形態を示す図で、プッシュボタンをケースに組み込む様子を示す斜視図である。
【図２】本発明の第１の実施の形態を示す図で、プッシュボタンをケースに組み込んだ様子を示す平面図である。
【図３】本発明の第１の実施の形態を示す図で、図３（ａ）は図２のａ−ａ断面図、図３（ｂ）は図２のｂ−ｂ断面図である。
【図４】本発明の第１の実施の形態を示す図で、プッシュボタンをケースに組み込んだ様子を示す底面図である。
【図５】本発明の第１の実施の形態を示す図で、図５（ａ）はプッシュボタンの全体の構成を示す斜視図、図５（ｂ）はプッシュボタンの全体の構成を別の角度から示す斜視図である。
【図６】本発明の第１の実施の形態を示す図で、図６（ａ）はプッシュボタンの構成を示す側面図、図６（ｂ）は図６（ａ）のｂ−ｂ矢視図である。
【図７】本発明の第１の実施の形態を示す図で、図７（ａ）は図６（ｂ）のａ−ａ矢視図、図７（ｂ）は図６（ｂ）のｂ−ｂ矢視図である。
【図８】本発明の第２の実施の形態を示す図で、プッシュボタン及び表面シートをケースに組み込む様子を示す分解斜視図である。
【図９】本発明の第２の実施の形態を示す図で、プッシュボタン及び表面シートをケースに組み込んだ示す断面図である。
【図１０】本発明の第２の実施の形態を示す図で、図１０（ａ）はプッシュボタンの全体の構成を示す斜視図、図１０（ｂ）はプッシュボタンの全体の構成を別の角度から示す斜視図である。
【図１１】本発明の第２の実施の形態を示す図で、図１１（ａ）はプッシュボタンの全体の構成を示す底面図、図１１（ｂ）はプッシュボタンの構成を示す側面図、図１１（ｃ）はプッシュボタンの構成を示す平面図、図１１（ｄ）はプッシュボタンの構成を示す側面図である。
【図１２】本発明の第３の実施の形態を示す図で、プッシュボタン及び基板をケースに組み込む様子を示す分解斜視図である。
【図１３】本発明の第３の実施の形態を示す図で、プッシュボタン及び基板及び表面シートをケースに組み込んだ示す断面図である。
【図１４】本発明の第３の実施の形態を示す図で、ケースの表面側の構成と表面シートを示す分解斜視図である。
【図１５】本発明の第３の実施の形態を示す図で、図１５（ａ）はプッシュボタンの全体の構成を示す斜視図、図１５（ｂ）はプッシュボタンの全体の構成を別の角度から示す斜視図である。
【図１６】本発明の第３の実施の形態を示す図で、図１６（ａ）はプッシュボタンの全体の構成を示す底面図、図１６（ｂ）はプッシュボタンの構成を示す側面図、図１６（ｃ）はプッシュボタンの構成を示す平面図、図１６（ｄ）はプッシュボタンの構成を示す側面図である
【図１７】従来例を示す図で、プッシュボタンのケースに対する取付状態を示す断面図である。
【図１８】従来例を示す図で、プッシュボタンのケースに対する取付状態を示す断面図である。
【発明を実施するための形態】
【００１２】
以下、図１乃至図７を参照して本発明の第１の実施の形態を説明する。本実施の形態は本願発明を車載用の各種プッシュボタンスイッチ（例えば、エアーコンディショナー用プッシュボタンスイッチやオーディオ用プッシュボタンスイッチ等）に適用した例を示すものである。以下、順次説明する。まず、本実施の形態によるプッシュボタンスイッチ１は、図１に示すような構成になっている。すなわち、プッシュボタンスイッチ１は、ケース３側に形成された凹部５と、この凹部５内に内装された基板（図３に示す）７と、上記基板７に実装されたスイッチ（図３に示す）９と、上記凹部５内に差し込まれてセットされるプッシュボタン１１等から構成されている。  
【００１３】
上記プッシュボタン１１は図５乃至図７に示すような構成になっている。まず、中央部に押圧操作部１３があり、この押圧操作部１３の下面側であって片側に寄った部位には、スイッチ押圧部１４が突設されている。このスイッチ押圧部１４によって上記基板７側に実装されたスイッチ９を選択的に押圧することになる。  
【００１４】
又、上記押圧操作部１３の短手方向両側には弾性支持部１５、１５が夫々連設されている。上記弾性支持部１５は、一対の屈曲部１７、１７と、これら一対の屈曲部１７、１７の先端部に設けられた板状係合部１９とから構成されている。上記屈曲部１７は略Ｕ字状に屈曲・形成されている。上記短手方向両側の弾性支持部１５、１５は共に同じ構成になっている。又、上記短手方向両側の弾性支持部１５、１５の屈曲部１７、１７との間にはストッパー係合部２１が形成されている。このストッパー係合部２１は、上記押圧操作部１３の長手方向両側に夫々形成されている。  
【００１５】
一方、上記ケース３の開口部５側には、図３（ｂ）に示すように、係止部２３、２３が設けられている。既に説明したプッシュボタン１１側の板状係合部１９、１９がこれら係止部２３、２３に係合することになる。又、上記ケース３の開口部５には、図３（ａ）に示すように、ストッパー２５、２５が設けられている。既に説明したプッシュボタン１１側のストッパー係合部２１、２１がこれらストッパー２５、２５に係合することになり、それによって、プッシュボタン１１の押し込み量を所定量に規制するように構成されている。  
【００１６】
又、図３（ｂ）に示すように、基板７の上記スイッチ９の横には光源としてのＬＥＤ（発光ダイオード）２７が実装されている。又、図２に示すように、プッシュボタン１１の上からは表面シート２９が貼り付けられている。  
【００１７】
以上の構成を基にその作用を説明する。まず、図１に示すように、ケース３の開口部５にプッシュボタン１１を挿入・配置する。すなわち、プッシュボタン１１側の板状係合部１９、１９がケース３側の係止部２３、２３に係合するまで、プッシュボタン１１を開口部５内に押し込む。その際、プッシュボタン１１側のストッパー係合部２１、２１がケース３側のストッパー２５、２５に係合することになるが、プッシュボタン１１に対する押圧操作が行われない状態では、プッシュボタン１１側のストッパー係合部２１、２１とケース３側のストッパー２５、２５との間に、図３（ａ）に示すように、所定の隙間ｂが形成された状態にある。  
【００１８】
次に、図２に示すように、プッシュボタン１１の上に表面シート２９が貼り付けられることになる。これによって、プッシュボタン１１の取付が完了する。  尚、上記表面シート２９は、図２に示すように、プッシュボタン１１の部分を含めて全体を覆うように設けられていて、図２中斜線で示す部分に両面テープが貼り付けられており、その両面テープを介してケース３に貼り付けられるものである。  
【００１９】
次に、プッシュボタンスイッチ１としての作用であるが、まず、プッシュボタン１１を押圧しない状態では、図３（ａ）に示すように、プッシュボタン１１側のストッパー係合部２１、２１とケース３側のストッパー２５、２５との間に、所定の隙間ｂが形成された状態にある。この状態では、スイッチ押圧部１４はスイッチ９に対して離間した位置にある。  
【００２０】
これに対して、プッシュボタン１１を押圧すると、一対の弾性支持部１５、１５の４個の屈曲部１７が弾性変形しながら下方に押し込まれることになる。それによって、スイッチ押圧部１４を介してスイッチ９を押圧してこれを「オン」させるものである。  尚、プッシュボタン１１の押圧時の押し込み量は、プッシュボタン１１側のストッパー係合部２１、２１がケース３側のストッパー２５、２５に係合することにより所定量に規制される。  
【００２１】
又、プッシュボタン１１の押圧を解除することにより、上記一対の弾性支持部１５、１５の弾性復帰力によって自動的に元の位置に復帰することになる。  
【００２２】
以上、本実施の形態によると次のような効果を奏することができる。まず、従来のように、グリスを塗布したりクッション材を組み込んだりする作業が不要になるので、組立作業に要する工数を減少させて組立作業の容易化を図ることができる。又、部品点数も減少することになるので部品管理の容易化を図ることができる。又、振動により発生する異音については４個の屈曲部１７の張りにより吸収することができる。又、プッシュボタン１１は４個の屈曲部１７を介してケース３側に変位可能な状態で取り付けられているので、押圧操作部１３の何処を押圧しても（例えば、中心部から離れた場所を押圧しても）スイッチ９を安定した動作で「オン」させることができ、安定したスイッチ動作を実現することができる。又、プッシュボタン１１の押し込み量については、プッシュボタン１１側のストッパー係合部２１、２１がケース３側のストッパー２５、２５に係合することにより所定量に規制される構成になっているので、過度の押圧によってスイッチ９を損傷させてしまうようなこともない。
【００２３】
次に、図８乃至図１１を参照して本発明の第２の実施の形態を説明する。前記第１の実施の形態の場合には、単一のプッシュボタンスイッチ１として構成した例を示したが、この第２の実施の形態の場合には、複数個（この実施の形態の場合には５個）のプッシュボタンスイッチを一体化したプッシュボタンスイッチ群１０１として構成した例を示すものである。以下詳細に説明する。
【００２４】
まず、図８に示すように、ケース１０３側には複数個（この実施の形態の場合には５個）の開口部１０５が整列された状態で形成されている。この実施の形態の場合には、図８中左右両側において、夫々５個ずつの開口部５が整列された状態で形成されている。上記ケース１０３内には基板（図９に示す）１０７が内装されていて、この基板１０７の所定位置には複数個（この実施の形態の場合には５個）の図示しないスイッチが実装されている。
【００２５】
一方、プッシュボタン群１１０が設置されていて、このプッシュボタン群１１０は複数個（この実施の形態の場合には５個）のプッシュボタン１１１をプレート１１２を介して一体化させたような構成になっている。
【００２６】
上記プッシュボタン１１１は次のような構成になっている。すなわち、図１０及び図１１に示すように、まず、押圧操作部１１３があり、この押圧操作部１１３の下面側であって片側に寄った部位には、スイッチ押圧部１１４が突設されている。このスイッチ押圧部１１４によって図示しないスイッチを選択的に押圧することになる。  
【００２７】
又、上記押圧操作部１１３の短手方向両側には弾性支持部１１５、１１５が夫々連設されている。上記弾性支持部１１５は、一対の屈曲部１１７、１１７から構成されている。上記短手方向両側の弾性支持部１１５、１１５は共に同じ構成になっている。又、上記短手方向両側の弾性支持部１１５、１１５の屈曲部１１７、１１７との間にはストッパー係合部１２１が形成されている。このストッパー係合部１２１は、上記押圧操作部１１３の長手方向両側に夫々形成されている
【００２８】
上記押圧操作部１１３と弾性支持部１１５、１１５の夫々２個ずつの屈曲部１１７、１１７、１１７、１１７との関係をみてみると、押圧操作部１１３は４個の屈曲部１１７、１１７、１１７、１１７の内側に位置する端に一体化されていて、これら４個の屈曲部１１７、１１７、１１７、１１７を介してプレート１１２に対して移動可能な状態で一体化された構成になっている。すなわち、各屈曲部１１７はＵ字形状をなしていて、そのＵ字の両端の内の内側に位置する端に上記押圧操作部１１３が一体化されている。又、Ｕ字の両端の内の外側に位置する端はプレート１１２側に一体化されている。その結果、上記したように、押圧操作部１１３が４個の屈曲部１１７、１１７、１１７、１１７を介してプレート１１２に対して移動可能な状態で取り付けられることになるものである。
【００２９】
一方、ケース１０３の開口部１０５側をみてみると、図８に示すように、各開口部１０５の所定地にはストッパー１２５、１２５が設けられている。既に説明したストッパー係合部１２１、１２１がこれらストッパー１２５、１２５に係合することになり、それによって、押圧操作部１１３の押し込み量を所定量に規制しているものである。
【００３０】
又、図８及び図９に示すように、プッシュボタン群１１０の上からは表面シート１２９が設置されることになる。上記表面シート１２９は、図８及び図９に示すように、中央部に液晶表示部用開口部１３０が形成されているが、それ以外の部分については、プッシュボタン群１１０の部分を含めて略全体を覆うように設けられている。そし、プッシュボタン群１１０の各プッシュボタン１１１の部分に対応する部位を除いて図示しない両面テープが張り付けられ、その両面テープを介してケース１０３側に貼り付けられるものである。
【００３１】
よって、前記第１の実施の形態の場合と同様の効果を奏することができる。又、複数個のプッシュボタン１１１を一体化させてプッシュボタン群１１０として構成しているので、部品点数をさらに減少させて組立作業のさらなる容易化を図ることができるものである。又、プッシュボタン群１１０の組み込み位置はプレート１１２によって決定されるので、各開口部１０５内に係止部を設ける必要はなく、それだけ構成の簡略化を図ることができる。又、プッシュボタン群１１０をケース１０３に対して表側から組み込むようにしているので、組立作業の作業性も良好である。又、各プッシュボタン１１１の押圧操作部１１３は４個の屈曲部１１７、１１７、１１７、１１７を介してプレート１１２に対して移動可能な状態で取り付けられているので、任意の１個のプッシュボタン１１１の押圧操作部１１３を押圧操作してもそれがその他のプッシュボタン１１１に影響を与えることはない。
【００３２】
次に、図１２乃至図１６を参照して本発明の第３の実施の形態を説明する。前記第２の実施の形態の場合には、プッシュボタン群１１０をケース１０３に対して表面側より取り付ける構成として説明したが、この第３の実施の形態の場合には、ケース１０３の内側からプッシュ
ボタン群１１０を取り付ける構成を示すものである。すなわち、図１２に示すように、ケース１０３の裏側からプッシュボタン群１１０をケース１０３内に組み込んで、背面側より基板２０７を固定ねじ１３１によって固定するものである。又、ケース１０３の表面側には、図１４に示すように、各プッシュボタン１１１に対応した部位に開口部１４０が夫々形成されている。又、この第２の実施の形態の場合には、前記第１の実施の形態の場合におけるストッパーに相当する構成はない。勿論、基板１０７側に別途部品を追加することによりそれをストッパーとして機能させることはできる。尚、図中前記第２の実施の形態の場合と同一部分には同一符号を付して示しその説明は省略する。
【００３３】
よって、前記第２の実施の形態の場合と同様の効果を奏することができる。又、プッシュボタン群１１０をケース１０３の裏側より組み込んでケース１０３と基板１０７とによってプッシュボタン群１１０を挟み込むような構成になっているので、組立後にプッシュボタン群１１０が不用意に脱落するようなこともない。
【００３４】
尚、本発明は前記第１〜第３の実施の形態に限定されるものではない。例えば、プッシュボタンの押し込み量を一定量に規制するストッパー構造については、これを設ける場合と設けない場合の両方がある。又、前記各実施の形態では一対の弾性支持部を設け、且つ、一対の弾性支持部の夫々に２個ずつの屈曲部を設け、合計４個の屈曲部を介して弾性変移させる構成としたが、それに限定されるものではない。一対の弾性支持部に１個ずつの屈曲部を設ける構成、３個ずつ以上の屈曲部を設ける構成も考えられる。その他、図示した構成はあくまで一例である。
【産業上の利用可能性】
【００３５】
本発明は、プッシュボタンスイッチに係り、特に、部品点数の削減、工数の削減、振動に起因した異音の発生防止を効果的に図ることができるように工夫したものに関し、特に、車載用の各種プッシュボタンスイッチに好適である。
【符号の説明】
【００３６】
１  プッシュボタンスイッチ３  ケース５  開口部７  基板９  スイッチ１１  プッシュボタン１３  押圧操作部１４  スイッチ押圧部１５  弾性支持部１７  屈曲部１９  板状係合部２１  ストッパー係合部２３  係止部２５  ストッパー１０１  プッシュボタンスイッチ群１０３  ケース１０５  開口部１０７  基板１１０  プッシュボタン群１１３  押圧操作部１１５  弾性支持部１１７  屈曲部１２１  ストッパー係合部１２５  ストッパー 
【図１】
2010225340.tif 000003
【図２】
2010225340.tif 000004
【図３】
2010225340.tif 000005
【図４】
2010225340.tif 000006
【図５】
2010225340.tif 000007
【図６】
2010225340.tif 000008
【図７】
2010225340.tif 000009
【図８】
2010225340.tif 000010
【図９】
2010225340.tif 000011
【図１０】
2010225340.tif 000012
【図１１】
2010225340.tif 000013
【図１２】
2010225340.tif 000014
【図１３】
2010225340.tif 000015
【図１４】
2010225340.tif 000016
【図１５】
2010225340.tif 000017
【図１６】
2010225340.tif 000018
【図１７】
2010225340.tif 000019
【図１８】
2010225340.tif 000020